(57)【要約】【課題】直前使用した他のユーザのユーザモードの設定に左右されることなく、最適な設定環境の下で、意図する画像処理要求に対する操作指示を再現性よく、かつ、自在に行えることである。【解決手段】認証可能な個人ＩＤ毎に設定されるユーザモードをコントローラ部１００２−４内のメモリに更新可能に記憶し、コントローラ部１００２−４が操作者を認証して個人ＩＤを特定し、該特定された前記個人ＩＤに基づいて設定すべきユーザモードを選択し、該選択されたユーザモードを現在の画像処理装置本体の設定に代えて更新設定させる構成を特徴とする。【選択図】図１０
2006042264.tif 000002
【特許請求の範囲】
【請求項１】
画像入力装置及び画像出力装置を有する画像処理装置であって、
認証可能な個人ＩＤ毎に設定されるユーザモードを更新可能に記憶するユーザモード記憶手段と、
操作者を認証して個人ＩＤを特定する特定手段と、
前記特定手段により特定された前記個人ＩＤに基づいて前記ユーザモード記憶手段を検索して、設定すべきユーザモードを選択する選択手段と、
前記選択手段により選択されたユーザモードを現在の画像処理装置本体の設定に代えて更新設定させるユーザモード設定手段と、
を有することを特徴とする画像処理装置。
【請求項２】
前記ユーザモードは、共通機能設定項目、タイマ設定項目、ネットワーク設定項目、プリンタ設定項目、コピー機能設定項目、アドレス帳設定項目、部門管理設定項目を含むことを特徴とする請求項１記載の画像処理装置。
【請求項３】
所定の携帯情報処理装置と通信する通信手段を有し、
前記特定手段は、前記所定の携帯情報処理装置から受信する個人ＩＤに基づいて、操作者を認証して個人ＩＤを特定することを特徴とする請求項１記載の画像処理装置。
【請求項４】
前記通信手段は、前記携帯情報処理装置と無線で通信することを特徴とする請求項３記載の画像処理装置。
【請求項５】
所定の情報処理装置と通信する通信手段を有し、
前記特定手段は、前記所定の情報処理装置から受信する個人ＩＤに基づいて、操作者を認証して個人ＩＤを特定することを特徴とする請求項１記載の画像処理装置。
【請求項６】
前記通信手段は、ネットワークを介して所定の情報処理装置と通信することを特徴とする請求項５記載の画像処理装置。
【請求項７】
所定の携帯情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、
前記所定の携帯情報処理装置から受信する個人ＩＤに基づいて、操作者を認証して個人ＩＤを特定する特定ステップと、
前記特定ステップにより特定された前記個人ＩＤに基づいて前記ユーザモード記憶手段を検索して、設定すべきユーザモードを選択する選択ステップと、
前記選択ステップにより選択されたユーザモードを現在の画像処理装置本体の設定に代えて更新設定させるユーザモード設定ステップと、
を有することを特徴とするユーザ環境設定方法。
【請求項８】
所定の情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、
前記所定の情報処理装置から受信する個人ＩＤに基づいて、操作者を認証して個人ＩＤを特定する特定ステップと、
前記特定ステップにより特定された前記個人ＩＤに基づいて前記ユーザモード記憶手段を検索して、設定すべきユーザモードを選択する選択ステップと、
前記選択ステップにより選択されたユーザモードを現在の画像処理装置本体の設定に代えて更新設定させるユーザモード設定ステップと、
を有することを特徴とするユーザ環境設定方法。
【請求項９】
前記ユーザモードは、共通機能設定項目、タイマ設定項目、ネットワーク設定項目、プリンタ設定項目、コピー機能設定項目、アドレス帳設定項目、部門管理設定項目を含むことを特徴とする請求項７または８記載のユーザ環境設定方法。
【請求項１０】
前記通信手段は、前記携帯情報処理装置と無線で通信することを特徴とする請求項７記載のユーザ環境設定方法。
【請求項１１】
前記通信手段は、ネットワークを介して所定の情報処理装置と通信することを特徴とする請求項８記載のユーザ環境設定方法。
【請求項１２】
請求項７〜１１のいずれかに記載のユーザ環境設定方法を実行させるためのプログラムを格納したことを特徴とするコンピュータが読み取り可能な記憶媒体。
【請求項１３】
請求項７〜１１のいずれかに記載のユーザ環境設定方法を実行させることを特徴とするプログラム。
【発明の詳細な説明】
【技術分野】
【０００１】
本発明は、画像入力装置及び画像出力装置を有する画像処理装置およびユーザ環境設定方法およびコンピュータが読み取り可能なプログラムを格納した記憶媒体およびプログラムに関するものである。
【背景技術】
【０００２】
従来、画像処理装置においては、ユーザモードと呼ばれるユーザの好みに応じて設定を変える事が出来る機能があった。
【０００３】
また、本体に設定した画像処理モードを複数個のキーに対応して割り当てて記憶し、該キーの指示に応じて記憶されていた画像処理モードを呼び出して設定する画像処理装置は実用化されている。
【特許文献１】特開平８−８７２０９号公報
【発明の開示】
【発明が解決しようとする課題】
【０００４】
しかし、画像処理装置はその特徴上、使用者が一つを所有するわけではなく、一般的に多くの人がシェアしている場合が多い。
【０００５】
したがって、ユーザが自分の好みに応じて設定できる機能があるが、自分の好みに切り替えたとしても、他のユーザによって勝手に切り替えられてしまう事があった。
【０００６】
例えば、設定例として操作部のキーを操作した時に操作の確認音を鳴らすかならさないかという問題がある。
【０００７】
あるユーザは使用する時にキー音がしないとイヤであるためキー音が鳴るように設定して装置を使用する。
【０００８】
しかし、次の日に操作しようとすると誰かの手によってキー音がならない設定に変えられているといった問題である。これが原因でオフィスの雰囲気が悪くなりかねない重要な問題である。
【０００９】
本発明は、上記の課題を解決するためになされたもので、本発明の目的は、画像入力装置及び画像出力装置を有する画像処理装置において、認証可能な個人ＩＤ毎に設定されるユーザモードを更新可能に記憶し、操作者を認証して個人ＩＤを特定し、該特定された前記個人ＩＤに基づいて設定すべきユーザモードを選択し、該選択されたユーザモードを現在の画像処理装置本体の設定に代えて更新設定させることにより、画像処理装置を様々なユーザが共有して使用する環境において、簡単なユーザ認証処理を行うだけで、あらかじめ登録されているユーザモードを反映させ、直前使用した他のユーザのユーザモードの設定に左右されることなく意図する画像処理要求に対する操作指示を再現性よく、かつ、自在に行える利便性に優れた画像処理装置およびユーザ環境設定方法およびコンピュータが読み取り可能なプログラムを格納した記憶媒体およびプログラムを提供することである。
【課題を解決するための手段】
【００１０】
上記目的を達成する本発明の画像処理装置は以下に示す構成を備える。
【００１１】
画像入力装置及び画像出力装置を有する画像処理装置であって、認証可能な個人ＩＤ毎に設定されるユーザモードを更新可能に記憶するユーザモード記憶手段と、操作者を認証して個人ＩＤを特定する特定手段と、前記特定手段により特定された前記個人ＩＤに基づいて前記ユーザモード記憶手段を検索して、設定すべきユーザモードを選択する選択手段と、前記選択手段により選択されたユーザモードを現在の画像処理装置本体の設定に代えて更新設定させるユーザモード設定手段とを有することを特徴とする。
【００１２】
上記目的を達成する本発明のユーザ環境設定方法は以下に示す構成を備える。
【００１３】
所定の携帯情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、前記所定の携帯情報処理装置から受信する個人ＩＤに基づいて、操作者を認証して個人ＩＤを特定する特定ステップと、前記特定ステップにより特定された前記個人ＩＤに基づいて前記ユーザモード記憶手段を検索して、設定すべきユーザモードを選択する選択ステップと、前記選択ステップにより選択されたユーザモードを現在の画像処理装置本体の設定に代えて更新設定させるユーザモード設定ステップとを有することを特徴とする。
【００１４】
また、所定の情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、前記所定の情報処理装置から受信する個人ＩＤに基づいて、操作者を認証して個人ＩＤを特定する特定ステップと、前記特定ステップにより特定された前記個人ＩＤに基づいて前記ユーザモード記憶手段を検索して、設定すべきユーザモードを選択する選択ステップと、前記選択ステップにより選択されたユーザモードを現在の画像処理装置本体の設定に代えて更新設定させるユーザモード設定ステップとを有することを特徴とする。
【発明の効果】
【００１５】
本発明によれば、画像処理装置を様々なユーザが共有して使用する環境において、簡単なユーザ認証処理を行うだけで、あらかじめ登録されているユーザモードが反映させ、直前使用した他のユーザのユーザモードの設定に左右されることなく意図する画像処理要求に対する操作指示を再現性よく、かつ、自在に行えるという効果を奏する。
【発明を実施するための最良の形態】
【００１６】
次に本発明を実施するための最良の形態について図面を参照して説明する。
【００１７】
＜システム構成の説明＞
図１は、本発明の一実施形態を示す画像処理装置の構成を説明する概略断面図であり、大別して、カラースキャナ部３８０とカラープリンタ部３８１とから構成される例である。
【００１８】
カラースキャナ部３８０において、１０１はＣＣＤで、ＣＣＤ基板３１１上に実装されて配置された状態で、原稿台ガラス３０１上に載置される原稿画像に対して照射される光の反射光を受光して、撮像されるアナログ画像信号に変換する。３００はスキャナＣＰＵで、スキャナ装置全体を制御する。
【００１９】
３１２はＩＰ基板で、ＣＣＤ基板３１１から送られるアナログ画像信号をデジタル化した後デジタル画像処理を行う画像処理部等を含んでいる。
【００２０】
３０２は原稿給紙装置（ＤＦ）で、原稿台ガラス３０１上に載置される原稿を１枚ずつ分離して給送する。なお、この原稿給紙装置３０２の代わりに非図示の圧板を装着する構成もある。
【００２１】
３０３及び３０４は原稿を照明する光源（ハロゲンランプ又は蛍光灯等）である。３０５及び３０６は反射傘で、光源３０３，３０４の光を原稿に集光する。３０７〜３０９はミラーで、プラテン上にセットされた原稿を光学的にＣＣＤ１０１に導く。
【００２２】
３１０はレンズで、ミラー３０７〜３０９の投影光をＣＣＤ１０１上に集光する。３１４は第１ミラー台（キャリッジ）で、光源３０３，３０４と反射傘３０５，３０６とミラー３０７を収容する。３１５は第２ミラー台で、ミラー３０８，３０９を収容する。３１６はステッピングモータ駆動部で、第１ミラー台３１４と第２ミラー台３１５を副走査方向（図中における左右方向）に駆動する。
【００２３】
３１３は他のデバイスとの外部インタフェースである。この外部インタフェース３１３には、本実施形態では図示しないが、ネットワークに接続する為のＬＡＮインタフェース装置、パソコン等と接続する為のＳＣＳＩインタフェース装置、ＦＡＸとして動作させる為のＦＡＸ装置等、本スキャナ画像を用いることが要求されるデバイスを接続することが可能であり、本インタフェースを介して、スキャナＣＰＵ３００と外部装置のＣＰＵが通信を行い、取り決められたタイミングで、取り決められた画像データを外部インタフェース３１３から出力することができる。
【００２４】
３５３は画像複写装置として本スキャナを用いる際に、画像出力を担当するプリンタと画像と命令をやりとりする為の専用のプリンタインタフェースである。
【００２５】
以下、原稿の読み込み処理動作について説明する。
【００２６】
ＤＦ３０２もしくは、ユーザにより原稿台ガラス３０１上に置かれた原稿は、非図示のコピーボタン押下等の原稿読み込みイベントにより、スキャナＣＰＵ３００が画像読み取りを行う為の指示を各所に与える。
【００２７】
具体的には、光源３０３、３０４を点灯させ、ＣＣＤ基板３１１を動作可能状態にし、画像処理基板（ＩＰ基板）３１２に画像処理パラメータを設定する。各準備が整うと、ステッピングモータ駆動部３１６を動作させ、第１ミラー台３１４を副走査方向に等速駆動し、原稿の全面を順に照射していく。
【００２８】
この時、第２ミラー台３１５は第１ミラー台３１４の１／２に駆動するようにメカ的に光学設計されており的確にＣＣＤ１０１に原稿を光学照射する。ＣＣＤ１０１は主走査方向（図中の手前−奥方向）に受光センサが並んだものであり、一定周期に受光センサに対応したレジスタより、光量に比例したアナログ電圧を順々に取り込む事が可能である。
【００２９】
この主走査方向の連続した取り込みと副走査方向に駆動する移動の繰り返しにより、原稿全面を２次元のイメージで取り込むことが可能である（２次元の画像データは時間軸に１次元の配列をとる）。この画像データはＣＣＤ基板３１１から画像処理基板３１２に転送され、適切な画像処理をかけた後に外部インタフェース３１３もしくは、プリンタインタフェース３５３Ａのいずれかを介して、スキャナ外に画像を出力する。
【００３０】
（プリンタ部の構成）
プリンタ部３８１において、３８３はスキャナインタフェースであり、画像複写装置としてプリンタを用いる際にスキャナデバイスを接続する為のインタフェースとなる。
【００３１】
３８２は外部インタフェースである。この外部インタフェース３８２には本実施形態では図示しないが、ネットワークに接続する為のＬＡＮインタフェース装置、パソコン等と接続する為のＳＣＳＩインタフェース装置等、本プリンタに画像を出力する事が要求されるデバイスを接続することが可能であり、本インタフェースを介して、プリンタＣＰＵ３８４と外部装置のＣＰＵが通信を行い、取り決められたタイミングで、取り決められた画像データを外部インタフェース３８２から入力することができる。
【００３２】
３１７はＭ画像形成部、３１８はＣ画像形成部、３１９はＹ画像形成部、３２０はＫ画像形成部である。３１７〜３２０までの各画像形成部の構成は全て同一なので以下ではＭ画像形成部３１７を詳細に説明し、他の画像形成部の説明は省略する。
【００３３】
Ｍ画像形成部３１７において、３４２は感光ドラムで、ＬＥＤアレー２１０からの光によって、その表面に潜像が形成される。３２１は一次帯電器で、感光ドラム３４２の表面を所定の電位に帯電させ、潜像形成の準備をする。３２２は現像器で、感光ドラム３４２上の潜像を現像して、トナー画像を形成する。
【００３４】
なお、現像器３２２には、現像バイアスを印加して現像するためのスリーブが含まれている。３２３は転写帯電器で、転写ベルト３３３の背面から放電を行い、感光ドラム３４２上のトナー画像を、転写ベルト３３３上の記録紙などへ転写する。本実施形態は転写効率がよいため、クリーナ部が配置されていない。なおクリーナ部を装着しても問題ないことは言うまでもない。
【００３５】
次に、記録紙などの上へ画像を形成する手順を説明する。
【００３６】
カセット３４０，３４１に格納された記録紙等はピックアップローラ３３９，３３８により１枚毎給紙ローラ３３６，３３７で転写ベルト３３３上に供給される。給紙された記録紙は、吸着帯電器３４６で帯電させられる。
【００３７】
３４８は転写ベルトローラで、転写ベルト３３３を駆動し、かつ、吸着帯電器３４６と対になって記録紙等を帯電させ、転写ベルト３３３に記録紙等を吸着させる。
【００３８】
３４７は紙先端センサで、転写ベルト３３３上の記録紙等の先端を検知する。なお、紙先端センサの検出信号はプリンタ部からスキャナ部へ送られて、スキャナ部からプリンタ部にビデオ信号を送る際の副走査同期信号として用いられる。
【００３９】
この後、記録紙等は、転写ベルト３３３によって搬送され、各画像形成部３１７〜３２０においてＭＣＹＫの順にその表面にトナー画像が形成される。Ｋ画像形成部３２０を通過した記録紙等は、転写ベルト３３３からの分離を容易にするため、除電帯電器３４９で除電された後、転写ベルト３３３から分離される。
【００４０】
３５０は剥離帯電器で、記録紙等が転写ベルト３３３から分離する際の剥離放電による画像乱れを防止するものである。分離された記録紙等は、トナーの吸着力を補って画像乱れを防止するために、定着前帯電器３５１、３５２で帯電された後、定着器３３４でトナー画像が熱定着された後、排紙トレイ３３５に排紙される。
【００４１】
次に、図１に示した画像処理基板３１２内のデジタル画像処理部の詳細な説明を行う。
【００４２】
図２は、図１に示したデジタル画像処理部３１２の詳細な構成を示すブロック図である。画像複写装置として動作する場合について以下に述べる。
【００４３】
図２において、原稿台ガラス上の原稿の反射画像は光学系を介してＣＣＤ１０１に導かれて電気信号に変換される。なお、ＣＣＤ１０１はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない。
【００４４】
そして、その電気信号（アナログ画像信号）は画像処理基板３１２に入力され、クランプ＆Ａｍｐ．＆Ｓ／Ｈ＆Ａ／Ｄ部１０２でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。
【００４５】
そして、ＲＧＢ信号はシェーディング部１０３で、シェーディング補正及び黒補正が施された後、つなぎ＆ＭＴＦ補正＆原稿検知部１０４で、ＣＣＤ１０１が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度や変倍率によって読取のＭＴＦが変るため、その変化を補正し、原稿検知は原稿台ガラス上の原稿を走査することにより原稿サイズを認識する。
【００４６】
そして、読取位置タイミングが補正されたデジタル信号は入力マスキング部１０５によって、ＣＣＤ１０１の分光特性及び光源３０３，３０４及び反射傘３０５，３０６の分光特性を補正する。入力マスキング部１０５の出力は、外部Ｉ／Ｆ信号との切り替え可能なセレクタ１０６に入力される。セレクタ１０６から出力された信号は色空間圧縮＆下地除去＆ＬＯＧ変換部１０７と下地除去部１１５に入力される。下地除去部１１５に入力された信号は下地除去された後、原稿中の原稿の黒い文字かどうかを判定する黒文字判定部１１６に入力され、原稿から黒文字信号を生成する。
【００４７】
また、もう一つのセレクタ１０６の出力が入力された色空間圧縮＆下地除去＆ＬＯＧ変換部１０７では、色空間圧縮は読み取った画像信号がプリンタで再現できる範囲に入っているかどうか判断し、入っている場合はそのまま、入っていない場合は画像信号をプリンタで再現できる範囲に入るように補正する。そして、下地除去処理を行い、ＬＯＧ変換でＲＧＢ信号からＣＭＹ信号に変換する。そして、黒文字判定部１１６で生成された信号とタイミングを補正するため色空間圧縮＆下地除去＆ＬＯＧ変換部１０７の出力信号は遅延部１０８でタイミングを調整される。
【００４８】
この２種類の信号はモワレ除去部１０９でモワレが除去され、変倍処理部１１０で、主走査方向に変倍処理される。１１１はＵＣＲ＆マスキング＆黒文字反映部で、変倍処理部１１０で処理された信号はＣＭＹ信号はＵＣＲ処理でＣＭＹＫ信号が生成され、マスキング処理部でプリンタの出力にあった信号に補正されると共に黒文字判定部１１６で生成された判定信号がＣＭＹＫ信号にフィードバックされる。ＵＣＲ＆マスキング＆黒文字反映部１１１で処理された信号はγ補正部１１２で濃度調整された後フィルタ部１１３でスムージング又はエッジ処理される。
【００４９】
以上処理された信号は２値変換部１１７で８ビットの多値信号から２値信号に変換される。なお、変換方法はディザ法・誤差拡散法・誤差拡散の改良したものいずれでもかまわない。
【００５０】
これらの処理を経て、プリンタインタフェース３５３Ａもしくは、外部インタフェース３１３からプリンタ又は、その他のデバイスに画像データが送られる。
【００５１】
＜画像信号の構成＞
図３は、図１に示したスキャナ部３８０の動作を説明するタイミングチャートである。
【００５２】
図３において、４０１は副走査方向の有効画像区間を表すＶ−ＥＮＢＬ信号である。４０２は主走査方向の同期信号であるＨ−ＳＹＮＣ信号である。４０３は主走査方向の１画素の同期信号として機能するＶ−ＣＬＫ信号である。４０４は前記ＣＣＤ１０１から読み出されＡ／Ｄ変換された画像信号である。なお、図中では、１つしか記述していないが、Ｄａｔａ−Ｒ、Ｄａｔａ−Ｇ、Ｄａｔａ−Ｂが存在する。４２２は全体を記述しきれないため、特徴的な部分以外を省略する為のものである。
【００５３】
図４は、図３に示す画像信号４０４と読み取り原稿との対応を示す図である。
【００５４】
図４において、主走査方向はＹ方向であり、副走査方向はＸ方向となる。つまり、ＣＣＤ１０１はＹ方向に画素を有し、この図においては左方向から右方向に移動しながら画像を取り込む。
【００５５】
図３において、Ｖ−ＥＮＢＬ信号４０１は画像の有効領域を決定する。第一ミラー台３１４を等速で駆動し、図４の原稿の読み取り開始点に来たときに、Ｖ−ＥＮＢＬ信号４０１は有効レベルとなり、画像データの先頭と有効な領域を示す。つまり、第一ミラー台３１４がＣＣＤ１０１に投射している画像は、図４に示す画像信号４１１〜４１４の主走査方向の１ライン目の画像となる。
【００５６】
この時、Ｈ−ＳＹＮＣ信号４０２は主走査方向の同期信号の有効エッジをトリガにＶ−ＣＬＫ信号４０３に同期してＣＣＤ１０１からの画像が読み出していく、読み出されたＣＣＤ１０１の画像信号は、画像処理部３１２のクランプ＆Ａｍｐ．＆Ｓ／Ｈ＆Ａ／Ｄ部１０２によりデジタルデータに変換され、各画像データ４１１，４１２，４１３・・・４１４として変換される。
【００５７】
Ｈ−ＳＹＮＣ信号４０２の１Ｈ分の時間に対し、第一ミラー台３１４は次の取り込みラインまで移動する様に正確に制御され、第１ラインの取り込み終了後は、同様に第２ラインの４１５〜４１７を取り込む。この動作を逐次連続して繰り返し、最終ラインの４１８〜４２０まで取り込む。主走査方向の取り込みが終了した為、Ｖ−ＥＮＢＬ信号４０１はＯＦＦ状態とされ、画像データが無効になったことを表す。この有効画像外は、画像データ４２１である。
【００５８】
この様に読み取り原稿を２次元の画像データとして取り込む事が可能となる。
【００５９】
＜プリンタ画像処理系の説明＞
以下、図１に示したプリンタ部３８１のＬＥＤアレー２１０〜２１３の駆動制御法について説明を行う。
【００６０】
図５は、図１に示したＬＥＤアレー２１０〜２１３の駆動回路の一例を示す図であり、図１と同一のものには同一の符号を付してある。
【００６１】
図１に示したスキャナ３８０のプリンタインタフェース３５３Ａから出力された画像は、プリンタ３８１のスキャナインタフェース３８３に入力される。これは、図２中のスキャナインタフェース３８３からスキャナ画像が入力されることを意味する。
【００６２】
スキャナインタフェース３８３から入力された画像データは、大容量メモリ２０１に格納される。なお、メモリは半導体メモリでも固定記憶装置でも、その組み合わせでも、画像を記憶する為のメモリであれば構わない。
【００６３】
また、格納と同時もしくは格納した後、例えば紙先端センサ３４７からの紙先端信号などの画像出力要求に対して、大容量メモリ２０１から画像データは読み出され、それぞれ遅延部２０２〜２０５に送られ、各色の所定の遅延分だけよって紙先端センサとそれぞれの画像形成部との距離の違いを調整し、４色を所定の位置に印字することが可能となる。ＬＥＤ駆動部２０６〜２０９はＬＥＤ２１０〜２１３を駆動するための信号を生成する。
【００６４】
画像複写指示がなされた場合は、すなわち、図示しない操作部上に配置されるコピーボタンが押下されると、スキャナ部３８０はプリンタ部３８１に対して画像の出力要求を出す。そして、プリンタ部３８１より画像の読み取り要求がスキャナに与えられ、前記説明により画像の読み取りを開始する。これと同時、もしくは画像の読み取り終了後にプリンタ部３８１は、前記説明によりスキャナから入力された画像を排紙トレイ３３５に排出することができ、これにより複写動作が可能となる構成になっている。
【００６５】
以下、本発明に係る画像処理装置に適用可能な携帯情報処理装置の構成と、該携帯情報処理装置のユーザの個人ＩＤの認識処理動作について説明する。
【００６６】
図６は、本発明に係る画像処理装置と通信可能な携帯情報処理装置の構成を説明する図である。なお、本実施形態では、以下の構成を例に記載するが、本発明は情報通信を行うことが可能な機器に関して適用可能なものであり、特にこの図の通りに機能を限定するものではない。また、現在多く普及されている磁気記録方法のＩＤカード等でも同様の効果が得られる。よって、個人ＩＤを記録する媒体は限定しない。
【００６７】
図６において、３４０１はアンテナで、外部の画像処理装置３３０１と情報のやり取りを行う。３４０２は送信部で、アンテナ３４０１に対して情報を送信する。３４０３は受信部で、アンテナ３４０１から情報を受信する。
【００６８】
３４０４はマイクで、操作者及び周辺の音を電気信号に変換する。３４０５はスピーカで、操作者及び周辺に対し電気信号を音に変換して出力する。３４０６は操作部で、操作者が本携帯情報処理装置に対して指令を与える。
【００６９】
３４０７はＣＰＵで、本携帯情報処理装置全体を制御する。３４０８はメモリで、ＣＰＵ３４０７が動作する上で必要な揮発性メモリとして機能するとともに、通信先等の電源ＯＦＦにおいてもデータが消去されないためのＥＥＰＲＯＭ等の不揮発性のメモリとしても機能する。３４０９は表示部で、操作者及び周辺に対して機器の状態及びメッセージを通知する。
【００７０】
また、メモリ３４０８には所有者の個人情報をもっており、これはユニークなものである。なお、認証の詳細については深く触れないが、この個人情報（以降「個人ＩＤ」と記載）により既知の認証手段によって個人を特定する事が出来る。
【００７１】
本実施形態においては、今後図６に示す携帯情報処理装置が一般的な携帯電話であった場合を想定し、一般的な機能の説明を行う。
【００７２】
携帯電話から通話を開始する場合。操作者は操作部３４０６より、電話番号を入力する。その番号はＣＰＵ３４０７によって、表示部３４０９にエコーバック表示される。操作者が操作部３４０６内の非図示の通話開始ボタンを押すことにより、送信部３４０２、アンテナ３４０１を介して最寄の電話局に通話要求が発生し、通話相手と回線が接続される。
【００７３】
回線接続後は、操作がマイク３４０４に対して話した言葉は送信部３４０２で信号変換され、アンテナ３４０１を介して通信相手に伝わる。また、通信相手が話した言葉はアンテナ３４０１から受信部３４０３に入り、アナログ信号に変換されスピーカ３４０５を介して操作者に伝わる事になる。
【００７４】
次にデジタル情報をやり取りする場合について述べる。
【００７５】
伝送するための情報は、メモリ３４０８からＣＰＵ３４０７、送信部３４０２を介してアンテナ３４０１に伝送され発信される。受信側はアンテナ３４０１から受信部３４０３、ＣＰＵ３４０７を介してメモリ３４０８に蓄積される。これらの技術は公知であるため、詳細な説明は省略する。
【００７６】
＜本発明の構成の概略図の説明＞
図７は、図６に示した携帯情報処理装置を適用する情報処理システムの構成を説明する図である。
【００７７】
図７において、３３０１は先に説明した画像処理装置である。３３０２はＮｅｔｗｏｒｋである。３３０４はコンピュータで、図示しないＣＰＵ，ＲＡＭ，ＲＯＭを含む制御ボード、ハードディスク等を含み、所定のＯＳの下でインストールされているアプリケーションプログラムを実行して種々のデータ処理を実行する。
【００７８】
３３１０はユーザで、コンピュータ３３０４を操作する。３３０５は個人ＩＤで、コンピュータ３３０４から画像処理装置３３０１に対してネットワーク３３０２を介して通知される。３３０６はユーザで、現在画像処理装置３３０１の近傍に位置して、画像処理装置３３０１の操作部を操作可能状態にある。
【００７９】
３３０７は携帯情報処理装置で、ユーザ３３０６が携帯している。３３０８は個人ＩＤで、携帯情報処理装置３３０７から画像処理装置３３０１に通知される。
【００８０】
なお、画像処理装置３３０１及びコンピュータ３３０４はＮｅｔｗｏｒｋ３３０２で接続されている。故に、ユーザ３３１０はコンピュータ３３０４を使用して画像処理装置３３０１にＪＯＢを投入し、印刷物を生成する事が可能である。
【００８１】
この際に、コンピュータ３３０４は既知のログイン手段により個人が特定されており、コンピュータ３３０４の記憶装置にインストールされているプリンタドライバは、この個人ＩＤをＪＯＢと同時に送信する事ができる。
【００８２】
これにより、画像処理装置３３０１は指示されたプリントＪＯＢのユーザ３３１０のものであるという事を認識する事が可能である。
【００８３】
また、ユーザ３３０６は画像処理装置３３０１の付近に位置し、操作パネルを操作する事でコピー操作を行う事が可能である。ユーザ３３０６が携帯している携帯情報処理装置３３０７は同様に個人ＩＤをメモリに有しており、既知の無線通信手段を用いて画像処理装置３３０１に対して個人ＩＤを送信する事ができる。画像処理装置３３０１は指示されたコピーＪＯＢがユーザ３３０６のものであるという事を認識する事が可能である。
【００８４】
なお、本実施形態において、個人ＩＤの検出処理は、例えばネットワーク上にブロードキャストというプロトコルを利用して、特定のパケットフォーマットを機器間で約束しておき、該特定のパケットを受信したときにのみ返事を返す等のプログラムを画像形成装置と携帯情報端末のメモリにそれぞれ実装することで、同一セグメント内にいる同じプロトコルをもつもの機器同士を相手側でそれぞれ特定することが可能となる。
【００８５】
その際のパケット例を示すと、識別ヘッダ、個人ＩＤ、ＩＰアドレス、電力レベルを携帯情報端末からブロードキャストパケットがネットワーク上に送信されると、画像形成装置側では、該パケットを受け取り、同一セグメント内に個人ＩＤという装置が存在することを検出することが可能となる。
【００８６】
そして、画像形成装置からは、上記パケットに対する返事であることを示す識別ヘッダ、画像形成装置の機種名、画像形成装置のＩＰアドレスを携帯情報端末に送信する。
【００８７】
また、携帯情報端末からは、比較的小さい電力のブロードキャストパケットを投げることにより、携帯情報端末の近傍の画像形成装置に対してのみパケットを届けることが可能なシステムを構築できる。
【００８８】
したがって、本システムでは、画像形成装置に近づく携帯情報端末を所持している相手を認識可能となる。また、上記パケットに電力レベルを示す情報を付加することで、画像形成装置は、情報携帯端末を操作するユーザとの距離もある程度予測することも可能となる。
【００８９】
＜ユーザモードの画面の説明＞
図８は、図７に示した画像処理装置３３０１のＬＣＤ操作部の表示画面を説明する図であり、本画面はユーザが機器固有の設定を行う時に開く画面に対応する。
【００９０】
図８において、３１０２は共通仕様設定ボタンであり、機能に分類されない設定がカテゴライズされている。３１０３はコピー機能設定ボタンであり、ＣｏｐｙＦｕｎｃｔｉｏｎにおける設定がカテゴライズされている。３１０４はタイマ設定ボタンであり、タイマ関連の設定がカテゴライズされている。３１０５はＮｅｔｗｏｒｋ設定ボタンであり、Ｎｅｔｗｏｒｋ関連の設定がカテゴライズされている。３１０６は部門管理設定ボタンであり、部門毎に機器の使用情報を獲得する機能における設定がカテゴライズされている。
【００９１】
３１０７はアドレス帳設定ボタンであり、画像形成装置がよくやり取りを行う宛先を登録する事ができる。３１０８はプリンタ機能設定ボタンであり、ＰｒｉｎｔｅｒＦｕｎｃｔｉｏｎに関する設定がカテゴライズされている。
【００９２】
ユーザはこのＬＣＤ画面上から所望の文字が書かれているボタン３１０２〜３１０６のいずれかのボタンを押下することで、そのカテゴライズされた画面に遷移し、詳細な機器の設定を変更・設定する事が可能である。
【００９３】
＜本方式におけるデータ構造＞
図９は、図８に示したユーザモードで設定可能な機能項目を含むデータベースの構造を説明する図であり、本データベースでは、ユーザＩＤ毎に階層的な構造を採用している。なお、データベースは画像処理装置３３０１内の不揮発性メモリに保存される。
【００９４】
図９において、３２０１はデータ構造のトップである。３２０２〜３２０４はＩＤレイヤー部で、図７に示した個人ＩＤ３３０８及び個人ＩＤ３３０５等のユーザＩＤが格納されている。つまり、例えばユーザＩＤ３２０３は、特定のユーザ一人に対する設定セットのデータ構造のトップであり、この下に繋がっているデータは全てユーザＩＤ３２０３に登録されたユーザが自分の設定として設定した値を記憶している事を意味する。なお、ユーザＩＤ３２０３に登録されたユーザが持つデータ構造について説明するものであり、項目・機能を限定するものではない。
【００９５】
同様に、他の特定のユーザの一人はユーザＩＤ３２０３と同格のレイヤー、例えばユーザＩＤ３２０２、ユーザＩＤ３２０４以下に構築されることになる。
【００９６】
３１０２，３１０３，３１０７，３１０８はカテゴリ部で、図８に示したユーザモードのカテゴリ（ファンクション毎）に対応するデータを意味する。３２４０〜３２４２，３２５３〜３２５７，３２６０〜３２６２は前記カテゴリ部３１０２〜３１０８の各々下にカテゴライズされているデータである。
【００９７】
これらの設定の種類はさらにＴｒｅｅ構造を持つ場合もあり、膨大な数となる。本実施形態では説明の都合上一部に絞って記載することにする。
【００９８】
３２４０は共通設定項目で、例えばキークリック音のＯＮ／ＯＦＦであり、ユーザが操作を行った時に入力音を鳴らすか否かを記憶している。３２４１は共通設定項目で、例えばアラームが発生した際にその音を鳴らすか否かを記憶している。３２４２は共通設定項目で、操作部上に表示する言語が何であるかを記憶している。
【００９９】
３２５３はコピー機能設定項目で、ＣｏｐｙＦｕｎｃｔｉｏｎとなるカテゴリ部３１０３に対する圧板原稿検知を行うか否かを記憶している。３２５４はコピー機能設定項目でＣｏｐｙＦｕｎｃｔｉｏｎとなるカテゴリ部３１０３に対する印刷中に用紙無しになった時に同サイズの用紙が入っているカセットを検索して変えるか否かを記憶している。
【０１００】
３２５５はコピー機能設定項目で、ＣｏｐｙＦｕｎｃｔｉｏｎとなるカテゴリ部３１０３に対する排紙トレイ先を記憶している。３２５６はコピー機能設定項目で、ＣｏｐｙＦｕｎｃｔｉｏｎとなるカテゴリ部３１０３に対する色味の調整値を記憶している。３２５７はコピー機能設定項目でＣｏｐｙＦｕｎｃｔｉｏｎとなるカテゴリ部３１０３の時に操作部上によく使う機能を一発で指定するためのショートカットボタン（ワンタッチボタン）を記憶している。
【０１０１】
３２６０はプリンタ設定項目で、ＰｒｉｎｔｅｒＦｕｎｃｔｉｏｎとなるカテゴリ部３１０８のエミュレーション機能であり、ＰｏｓｔＳｃｒｉｐｔ（登録商標）をインタープリットするか否かを記憶している。３２６１はプリンタ設定項目で、ＰｒｉｎｔｅｒＦｕｎｃｔｉｏｎとなるカテゴリ部３１０８の排紙トレイを記憶している。３２６２はプリンタ設定項目で、ＰｒｉｎｔｅｒＦｕｎｃｔｉｏｎとなるカテゴリ部３１０８の色調整値を記憶している。
【０１０２】
３２７１，３２７２はアドレス帳設定項目で、ＡｄｄｒｅｓＢｏｏｋとなるカテゴリ部３１０７が記憶しているユーザである。３２７３〜３２７５は個人情報で、ユーザ３２７１の各々の個人情報（メールアドレス、電話番号、ＦＡＸ番号等）を記憶している。
【０１０３】
なお、記憶しているデータはユーザＩＤ３２０３に対するものであり、ユーザＩＤ３２０４には同じレベルのデータを記憶する事ができ、ユーザＩＤ毎に設定値を記憶する為に必要なデータ構造である。
【０１０４】
＜本方式の処理１フロー＞
ユーザ３３０６が画像処理装置３３０１の近傍に立った場合、個人ＩＤ３３０８が特定される。するとユーザが特定した旨のイベントが発生し、各所が設定データの再更新作業を行う。
【０１０５】
具体的には、図８に示したＬＣＤ部３１０１は操作部の操作に必要なデータである、共通設定項目３２４０，３２４１，３２４２を図９に示したデータベース部に対して問い合わせをかける。
【０１０６】
図１０は、図１に示した画像処理装置の構成を説明するブロック図であり、画像処理装置は、イーサネット（登録商標）等のＬＡＮ（Ｌｏｃａｌ  Ａｒｅａ  Ｎｅｔｗｏｒｋ）３３０２にてホストコンピュータ３３０４に接続されている例である。
【０１０７】
図１０において、画像処理装置３３０１は、画像データの読取処理を行うリーダ部１００２−２と、画像データの出力処理を行うプリンタ部１００２−５と、画像データの入出力操作を行うキーボード、及び画像データや各種機能の表示／設定などを行う液晶パネルを備えた操作部１００２−１と、リーダ装置１００２−２を制御して読み込んだ画像データや、ＬＡＮ３３０２を介してホストコンピュータ３３０４より受信したコードデータから生成される画像データを格納／保存できる画像記憶部１００２−３、さらには印刷用紙を排紙するフィニッシング部１００２−９を装着可能であり、これら各構成要素に接続されて該構成要素を制御するコントローラ部１００２−４で構成されている。
【０１０８】
リーダ部１００２−２は、原稿用紙を搬送する原稿給紙ユニット１００２−２−１と、原稿画像を光学的に読み取って電気信号としての画像データに変換するスキャナユニット１００２−２−２とを有し、プリンタ部１００２−５は、記録用紙を収容する複数段の給紙カセットを備えた給紙ユニット１００２−７と、画像データを記録用紙に転写／定着するマーキングユニット１００２−６と、印刷された記録用紙の反転処理などを行い、フィニッシング部へ用紙を搬送する排紙ユニット１００２−８とを有している。
【０１０９】
フィニッシング部１００２−９は、ジョブや用紙の束毎に用紙を一時的に蓄積する中間ユニット１００２−９−２と、ステイプルやジョブオフセットなどのフィニッシング加工を行ったり、最終的に印刷物を蓄積したりするオプション排紙ユニット１００２−９−１とを有している。
【０１１０】
コントローラ部１００２−４は、リーダ部１００２−２を制御して原稿の画像データを読込み、プリンタ部１００２−５を制御して画像データを記録用紙に出力するコピー機能を提供する。
【０１１１】
また、リーダ部１００２−２から読み取った画像データをコードデータに変換し、ネットワーク３３０２を介してクライアントコンピュータ３３０４へ送信するネットワークスキャナ機能や、クライアントコンピュータ３３０４からネットワーク３３０２を介して受信したＰＤＬなどの描画命令やコードデータを画像データに変換し、プリンタ部１００２−５に出力するネットワークプリンタ機能などの機能ブロックを有している。
【０１１２】
さらにコピー機能、ネットワークプリンタ機能等で印刷された用紙を蓄積、ステイプル、製本、ジョブオフセットするフィニッシング機能ブロックを有し、あるまとまった単位毎に仕分けを行ったり、加工したりすることも可能となっている。
【０１１３】
なお、コントローラ部１００２−４には、図７に示した携帯情報処理装置３３０７との通信を担う通信Ｉ／Ｆと、クライアントコンピュータ３３０１と通信するためのネットワークコントローラとを備え、クライアントコンピュータ３３０１または携帯情報処理装置３３０７と双方通信可能に構成されている。
【０１１４】
上記のように構成された画像処理装置において、以下の特徴的な構成を備える。
【０１１５】
本発明に係る画像処理装置は、図１０に示すリーダ部１００２−２及び図１０に示すプリンタ部１００２−５を有する。
【０１１６】
そして、図１０に示すコントローラ部１００２−４内の不揮発性メモリ内で、認証可能な個人ＩＤ毎に設定されるユーザモードを更新可能に記憶する。また、図１０に示すコントローラ部１００２−４が、例えば図１２に示すステップ（３５１２）によるユーザＩＤ判定ステップを実行することで、操作者を認証して個人ＩＤを特定する。
【０１１７】
さらに、図１０に示すコントローラ部１００２−４が、例えば図１２に示すステップ（３５１３）によるＤＢ検索ステップを実行することで、特定された前記個人ＩＤに基づいてユーザモード記憶手段を検索して、設定すべきユーザモードを選択する。
【０１１８】
また、図１０に示すコントローラ部１００２−４が、例えば図１２に示すステップ（３５１４）による設定ステップを実行することで、選択されたユーザモードを現在の画像処理装置本体の設定に代えて更新設定させる。
【０１１９】
これにより、画像処理装置を様々なユーザが共有して使用する環境において、簡単なユーザ認証処理を行うだけで、あらかじめ登録されているユーザモードを反映させ、直前使用した他のユーザのユーザモードの設定に左右されることなく意図する画像処理要求に対する操作指示を再現性よく、かつ、自在に行える。
【０１２０】
なお、前記ユーザモードは、共通機能設定項目、タイマ設定項目、ネットワーク設定項目、プリンタ機能設定項目、コピー機能設定項目、アドレス帳設定項目、部門管理設定項目を含む。
【０１２１】
これにより、ユーザが画像処理装置を使用する場合に、設定可能な詳細項目までユーザが設定をカスタマイズできる。
【０１２２】
さらに、所定の携帯情報処理装置と通信する通信手段（図示しない無線通信インタフェース）を有し、前記特定手段は、前記所定の携帯情報処理装置から受信する個人ＩＤに基づいて、操作者を認証して個人ＩＤを特定する。
【０１２３】
これにより、通信可能な情報端末装置からの通信でユーザＩＤを取得して、該取得するユーザＩＤにより特定されるユーザに最適な設定環境をセットアップすることができる。
【０１２４】
また、前記通信手段は、前記携帯情報処理装置と無線で通信可能に構成されている。
【０１２５】
これにより、無線通信可能な情報端末装置からの通信でユーザＩＤを取得して、該取得するユーザＩＤにより特定されるユーザに最適な設定環境をセットアップすることができる。
【０１２６】
さらに、所定の情報処理装置と通信する通信手段として、図１０には図示しないネットワークコントローラを有し、前記特定手段は、前記所定の情報処理装置から受信する個人ＩＤに基づいて、操作者を認証して個人ＩＤを特定する。
【０１２７】
これにより、通信可能な情報処理装置からの通信でユーザＩＤを取得して、該取得するユーザＩＤにより特定されるユーザに最適な設定環境をセットアップすることができる。
【０１２８】
さらに、通信手段は、ネットワークを介して所定の情報処理装置と通信可能に構成されている。
【０１２９】
これにより、ネットワーク通信可能な情報処理装置からの通信でユーザＩＤを取得して、該取得するユーザＩＤにより特定されるユーザに最適な設定環境をセットアップすることができる。
【０１３０】
以下、図１１、図１２に示すフローチャートを参照して、本発明におけるユーザ環境設定方法について説明する。
【０１３１】
図１１は、本発明に係る画像処理装置における第１のデータ処理手順の一例を示すフローチャートであり、図１０に示したコントローラ部１００２−４が図示しないメモリに記憶される制御プログラムをロードして実行することで実現される。なお、（３５２１）〜（３５２３）は各ステップを示す。
【０１３２】
先ず、ステップ（３５２１）で、コントローラ部１００２−４は個人ＩＤ３３０８に対応したユーザＩＤを判断する。そして、ステップ（３５２２）で特定されたユーザＩＤに対応したＴｒｅｅ構造で記憶されるユーザ別の設定データをデータベースから検索して、その設定値を取り出し、ステップ（３５２３）でその値を返して、処理を終了する。
【０１３３】
次に、ユーザ３３０６が画像処理装置３１０１のユーザモード画面を開き、設定の変更を行ったとする。
【０１３４】
図１２は、本発明に係る画像処理装置における第２のデータ処理手順の一例を示すフローチャートであり、図１０に示したコントローラ部１００２が図示しないメモリに記憶される制御プログラムをロードして実行することで実現される。なお、（３５１１）〜（３５１４）は各ステップを示す。ユーザ設定が変更される。
【０１３５】
先ず、ステップ（３５１１）で、コントローラ部１００２−４は、ユーザからの指示を待ち、操作部１００２−１等から指示を受け付けると、ステップ（３５１２）で、ユーザのＩＤが判断され、ステップ（３５１３）で、コントローラ部１００２−４が、例えばコントローラ部１００２−４内部の不揮発性メモリ内に確保されているデータベース中が検索されて、例えばユーザＩＤ３２０３のＴｒｅｅが選択される。そして、ステップ（３５１４）で、所定の場所にユーザ設定値が更新保存され、処理を終了する。
【０１３６】
上記図１１，図１２に示す各フローの繰り返しで、画像処理装置全体がユーザ３３０６の個人設定通りの設定へと更新され、ユーザ毎の設定環境で操作部から意図する操作指示を違和感なく行うことができる。
【０１３７】
以上の様な手法により、一つの画像処理装置における操作設定環境を個人毎にカスタマイズして管理することができ、また該設定に従って本体の状態を更新させることが可能である。
【０１３８】
この効果の具体的な例を示すと、ユーザ３３０６の好みが共通機能設定項目３２４０でキークリック音がＯＮと設定され、共通機能設定項目３２４１で、アラーム音がＯＦＦとされ、共通機能設定項目３２４２で、言語が英語という設定をしていた場合、個人ＩＤ３３０８を持っているデバイス３３０７を身につけて画像処理装置３３０１の近傍に立った時点で、画像処理装置３３０１の操作部画面は英語に切り替わり、操作した時のクリック音が鳴り、アラームＯＮが鳴らない設定が反映された状態に操作設定環境がカスタマイズされる。
【０１３９】
また、上記実施形態では説明していないが、設定したコピー機能設定３１０３も同様に反映される。また、アドレス帳設定３１０７等も個人毎に設定・記録されるため、使い勝手の改善が期待できる。
【０１４０】
〔第２実施形態〕
上記第１実施形態では、携帯情報端末３３０７を身につけて画像処理装置３３０１に近づくと、画像処理装置３３０１の設定操作環境を携帯情報端末３３０７のユーザ３３０６の個人ＩＤ３３０８で登録されている操作設定環境に自動設定する場合について説明したが、図７に示したように、操作者３３０６がＰＣ３３０４を操作している場合における操作設定環境の変更についても同様である。以下、その実施形態について説明する。
【０１４１】
本実施形態では詳細に記載しないが、ＰＣ３３０４にも個人ＩＤ３３０５を記録する手段を有する。ユーザがＰｒｉｎｔｅｒとして画像処理装置３３０１を使用する際に、個人ＩＤ３３０５が画像処理装置３３０１がプリンタドライバを介して送信される。
【０１４２】
これにより、前記と同様の手段により、Ｐｒｉｎｔｅｒ機能設定項目３１０８の各項目が反映され、ユーザの好みの動作に設定をプリンタ部の指定環境を切り替えて動作する事が可能となる。
【０１４３】
上記実施形態によれば、個人毎に画像処理装置に対して設定可能な項目をユーザ設定情報としてＩＤ検索可能に画像処理装置内に保存する事が可能となり、個人が画像処理装置から何らかの操作をする時に、直前の操作環境をユーザ好みの操作環境にカスタマイズすることなく、すなわち、操作部からはなんらアクションを起こさなくても、自動的に過去にユーザ毎に設定してある設定操作環境にセットアップされた状態となる。
【０１４４】
以下、図１３に示すメモリマップを参照して本発明に係る画像処理システムで読み取り可能なデータ処理プログラムの構成について説明する。
【０１４５】
図１３は、本発明に係る画像処理システムで読み取り可能な各種データ処理プログラムを格納する記憶媒体のメモリマップを説明する図である。
【０１４６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１４７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１４８】
本実施形態における図１１、図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５０】
この場合、記憶媒体から読み出されたプログラムコード自体が本発明の新規な機能を実現することになり、そのプログラムコードを記憶した記憶媒体は本発明を構成することになる。
【０１５１】
従って、プログラムの機能を有していれば、オブジェクトコード、インタプリタにより実行されるプログラム、ＯＳに供給するスクリプトデータ等、プログラムの形態を問わない。
【０１５２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５３】
この場合、記憶媒体から読出されたプログラムコード自体が前述した実施形態の機能を実現することになり、そのプログラムコードを記憶した記憶媒体は本発明を構成することになる。
【０１５４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１５５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１５６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１５８】
本発明は上記実施形態に限定されるものではなく、本発明の趣旨に基づき種々の変形（各実施形態の有機的な組合せを含む）が可能であり、それらを本発明の範囲から排除するものではない。
【０１５９】
本発明の様々な例と実施形態を示して説明したが、当業者であれば、本発明の趣旨と範囲は、本明細書内の特定の説明に限定されるものではない。
【０１６０】
なお、本発明は、上記した実施形態に限定されるものではなく、本発明の要旨を逸脱しない範囲内において種々変更を加え得ることは勿論である。以下、その実施態様１〜１３について説明する。
【０１６１】
〔実施態様１〕
画像入力装置（図１０に示すリーダ部１００２−２）及び画像出力装置（図１０に示すプリンタ部１００２−５）を有する画像処理装置であって、認証可能な個人ＩＤ毎に設定されるユーザモードを更新可能に記憶するユーザモード記憶手段（図１０に示すコントローラ部１００２−４内の不揮発性メモリ）と、操作者を認証して個人ＩＤを特定する特定手段（図１０に示すコントローラ部１００２−４が実行する、例えば図１２に示すステップ（３５１２）によるユーザＩＤ判定ステップ）と、前記特定手段により特定された前記個人ＩＤに基づいて前記ユーザモード記憶手段を検索して、設定すべきユーザモードを選択する選択手段（図１０に示すコントローラ部１００２−４が実行する、例えば図１２に示すステップ（３５１３）によるＤＢ検索ステップ）と、前記選択手段により選択されたユーザモードを現在の画像処理装置本体の設定に代えて更新設定させるユーザモード設定手段（図１０に示すコントローラ部１００２−４が実行する、例えば図１２に示すステップ（３５１４）による設定ステップ）とを有することを特徴とする画像処理装置。
【０１６２】
これにより、画像処理装置を様々なユーザが共有して使用する環境において、簡単なユーザ認証処理を行うだけで、あらかじめ登録されているユーザモードを反映させ、直前使用した他のユーザのユーザモードの設定に左右されることなく意図する画像処理要求に対する操作指示を再現性よく、かつ、自在に行える。
【０１６３】
〔実施態様２〕
前記ユーザモードは、共通機能設定項目、タイマ設定項目、ネットワーク設定項目、プリンタ機能設定項目、コピー機能設定項目、アドレス帳設定項目、部門管理設定項目を含むことを特徴とする実施態様１記載の画像処理装置。
【０１６４】
これにより、ユーザが画像処理装置を使用する場合に、設定可能な詳細項目までユーザが設定をカスタマイズできる。
【０１６５】
〔実施態様３〕
所定の携帯情報処理装置と通信する通信手段（図示しない無線通信インタフェース）を有し、前記特定手段は、前記所定の携帯情報処理装置から受信する個人ＩＤに基づいて、操作者を認証して個人ＩＤを特定することを特徴とする実施態様１記載の画像処理装置。
【０１６６】
これにより、通信可能な情報端末装置からの通信でユーザＩＤを取得して、該取得するユーザＩＤにより特定されるユーザに最適な設定環境をセットアップすることができる。
【０１６７】
〔実施態様４〕
前記通信手段は、前記携帯情報処理装置と無線で通信することを特徴とする実施態様３記載の画像処理装置。
【０１６８】
これにより、無線通信可能な情報端末装置からの通信でユーザＩＤを取得して、該取得するユーザＩＤにより特定されるユーザに最適な設定環境をセットアップすることができる。
【０１６９】
〔実施態様５〕
所定の情報処理装置と通信する通信手段（図１０には図示しないネットワークコントローラ）を有し、前記特定手段は、前記所定の情報処理装置から受信する個人ＩＤに基づいて、操作者を認証して個人ＩＤを特定することを特徴とする実施態様１記載の画像処理装置。
【０１７０】
これにより、通信可能な情報処理装置からの通信でユーザＩＤを取得して、該取得するユーザＩＤにより特定されるユーザに最適な設定環境をセットアップすることができる。
【０１７１】
〔実施態様６〕
前記通信手段は、ネットワークを介して所定の情報処理装置と通信することを特徴とする実施態様５記載の画像処理装置。
【０１７２】
これにより、ネットワーク通信可能な情報処理装置からの通信でユーザＩＤを取得して、該取得するユーザＩＤにより特定されるユーザに最適な設定環境をセットアップすることができる。
【０１７３】
〔実施態様７〕
所定の携帯情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、前記所定の携帯情報処理装置から受信する個人ＩＤに基づいて、操作者を認証して個人ＩＤを特定する特定ステップ（図１０に示すコントローラ部１００２−４が実行する、例えば図１２に示すステップ（３５１２）によるユーザＩＤ判定ステップ）と、前記特定ステップにより特定された前記個人ＩＤに基づいて前記ユーザモード記憶手段を検索して、設定すべきユーザモードを選択する選択ステップ（図１０に示すコントローラ部１００２−４が実行する、例えば図１２に示すステップ（３５１３）によるＤＢ検索ステップ）と、前記選択ステップにより選択されたユーザモードを現在の画像処理装置本体の設定に代えて更新設定させるユーザモード設定ステップ（図１０に示すコントローラ部１００２−４が実行する、例えば図１２に示すステップ（３５１４）による設定ステップ）とを有することを特徴とするユーザ環境設定方法。
【０１７４】
これにより、画像処理装置を様々なユーザが共有して使用する環境において、簡単なユーザ認証処理を行うだけで、あらかじめ登録されているユーザモードを反映させ、直前使用した他のユーザのユーザモードの設定に左右されることなく意図する画像処理要求に対する操作指示を再現性よく、かつ、自在に行える。
【０１７５】
〔実施態様８〕
所定の情報処理装置と通信する通信手段と、画像入力装置と、認証可能な個人ＩＤ毎に設定されるユーザモードを更新可能に記憶するユーザモード記憶手段と、画像出力装置とを有する画像処理装置におけるユーザ環境設定方法であって、前記所定の情報処理装置から受信する個人ＩＤに基づいて、操作者を認証して個人ＩＤを特定する特定ステップ（図１０に示すコントローラ部１００２−４が実行する、例えば図１２に示すステップ（３５１２）によるユーザＩＤ判定ステップ）と、前記特定ステップにより特定された前記個人ＩＤに基づいて前記ユーザモード記憶手段を検索して、設定すべきユーザモードを選択する選択ステップ（図１０に示すコントローラ部１００２−４が実行する、例えば図１２に示すステップ（３５１３）によるＤＢ検索ステップ）と、前記選択ステップにより選択されたユーザモードを現在の画像処理装置本体の設定に代えて更新設定させるユーザモード設定ステップ（図１０に示すコントローラ部１００２−４が実行する、例えば図１２に示すステップ（３５１４）による設定ステップ）とを有することを特徴とするユーザ環境設定方法。
【０１７６】
これにより、画像処理装置を様々なユーザが共有して使用する環境において、簡単なユーザ認証処理を行うだけで、あらかじめ登録されているユーザモードを反映させ、直前使用した他のユーザのユーザモードの設定に左右されることなく意図する画像処理要求に対する操作指示を再現性よく、かつ、自在に行える。
【０１７７】
〔実施態様９〕
前記ユーザモードは、共通機能設定項目、タイマ設定項目、ネットワーク設定項目、プリンタ機能設定項目、コピー機能設定項目、アドレス帳設定項目、部門管理設定項目を含むことを特徴とする実施態様７または８記載のユーザ環境設定方法。
【０１７８】
これにより、ユーザが画像処理装置を使用する場合に、設定可能な詳細項目までユーザが設定をカスタマイズできる。
【０１７９】
〔実施態様１０〕
前記通信手段は、前記携帯情報処理装置と無線で通信することを特徴とする実施態様７記載のユーザ環境設定方法。
【０１８０】
これにより、無線通信可能な情報端末装置からの通信でユーザＩＤを取得して、該取得するユーザＩＤにより特定されるユーザに最適な設定環境をセットアップすることができる。
【０１８１】
〔実施態様１１〕
前記通信手段は、ネットワークを介して所定の情報処理装置と通信することを特徴とする実施態様８記載のユーザ環境設定方法。
【０１８２】
これにより、通信可能な情報処理装置からの通信でユーザＩＤを取得して、該取得するユーザＩＤにより特定されるユーザに最適な設定環境をセットアップすることができる。
【０１８３】
〔実施態様１２〕
実施態様７〜１１のいずれかに記載のユーザ環境設定方法を実行させるためのプログラムを格納したことを特徴とするコンピュータが読み取り可能な記憶媒体。
【０１８４】
これにより、実施態様７〜１１と同等の効果を奏する。
【０１８５】
〔実施態様１３〕
実施態様７〜１１のいずれかに記載のユーザ環境設定方法を実行させることを特徴とするプログラム。
【０１８６】
これにより、実施態様７〜１１と同等の効果を奏する。
【図面の簡単な説明】
【０１８７】
【図１】本発明の一実施形態を示す画像処理装置の構成を説明する概略断面図である。
【図２】図１に示したデジタル画像処理部の詳細な構成を示すブロック図である。
【図３】図１に示したスキャナ部の動作を説明するタイミングチャートである。
【図４】図３に示す画像信号と読み取り原稿との対応を示す図である。
【図５】図１に示したＬＥＤアレーの駆動回路の一例を示す図である。
【図６】本発明に係る画像処理装置と通信可能な携帯情報処理装置の構成を説明する図である。
【図７】図６に示した携帯情報処理装置を適用する情報処理システムの構成を説明する図である。
【図８】図７に示した画像処理装置のＬＣＤ操作部の表示画面を説明する図である。
【図９】図８に示したユーザモードで設定可能な機能項目を含むデータベースの構造を説明する図である。
【図１０】図１に示した画像処理装置の構成を説明するブロック図である。
【図１１】本発明に係る画像処理装置における第１のデータ処理手順の一例を示すフローチャートである。
【図１２】本発明に係る画像処理装置における第２のデータ処理手順の一例を示すフローチャートである。
【図１３】本発明に係る画像処理装置で読み取り可能な各種データ処理プログラムを格納する記憶媒体のメモリマップを説明する図である。
【符号の説明】
【０１８８】
１００２−１  操作部
１００２−２  リーダ装置
１００２−３  画像記憶部
１００２−４  コントローラ部
１００２−５  プリンタ装置
１００２−９  排紙装置
【図１】
2006042264.tif 000003
【図２】
2006042264.tif 000004
【図３】
2006042264.tif 000005
【図４】
2006042264.tif 000006
【図５】
2006042264.tif 000007
【図６】
2006042264.tif 000008
【図７】
2006042264.tif 000009
【図８】
2006042264.tif 000010
【図９】
2006042264.tif 000011
【図１０】
2006042264.tif 000012
【図１１】
2006042264.tif 000013
【図１２】
2006042264.tif 000014
【図１３】
2006042264.tif 000015